(57)【要約】   【課題】外装パネルから竪樋竪樋全体が突出するのを抑えて建築物の外観を向上し品質性が高まる竪樋取付構造を提供することを目的とする。  【解決手段】  竪樋取付構造１は、建築物の外壁本体２に設けた一対の外装パネル３の端部３ａと外壁本体２から成る溝部４を形成する。この溝部４に長尺のベース材７が挿入される。ベース材７は両側面５ａと底部５ｂとから成る断面矩形凹部の収納部５と、両側面５ａの先端部５ｃに底部５ｂと平行で外装パネル３の端部３ａを覆うカバー材６と備える。さらに、カバー材６の先端部６ａは底部５ｂ側に折返し部６ｃとして折返される。竪樋９は固定具１０を介してベース材７の底部５ｂを貫通し外壁本体２に固定される。固定具１０は竪樋９の周囲に密着する環状部１０ａとこの環状部１０ａに連設するネジ部１０ｂとから成る。【選択図】  図１
2008133604.tif 000002
【特許請求の範囲】
【請求項１】
建築物の外壁本体に設けられる一対の外装パネルの端部と外壁本体から成る溝部に、底面と両側面から成る断面矩形凹状の長尺の収納部が両側面の先端部に前記一対の外装パネルの端部を覆うカバー材を備えて挿入されるとともに前記底面が外壁本体に固定され、
前記収納部が竪樋を収納する領域であることを特徴とする竪樋取付構造。
【請求項２】
請求項１に記載の竪樋取付構造であって、前記竪樋の対向する側面に凹部を備え、前記収納部の両側面の先端部に前記竪樋の凹部を係止する凸部が設けられることを特徴とする竪樋取付構造。
【発明の詳細な説明】
【技術分野】
【０００１】
本発明は、外壁本体に竪樋を取付ける竪樋取付構造に関し、特に、外壁本体に設けられる外装パネルから竪樋をできるだけ突出せずに固着する竪樋取付構造の技術に関する。
【背景技術】
【０００２】
従来、外壁本体に竪樋を設ける場合、外壁本体の表面から竪樋全体が突出するため住宅外観が損なわれるという問題があった。また、竪樋を伝って外部者が建物内に侵入する恐れがあった。
【０００３】
このような問題を解決する竪樋取付構造として特許文献１の記載が知られている。特許文献１によれば、図３に示すように、外壁Ｗに凸形のカバー体３１が縦向きに取付けられ、カバー体３１の内側に、竪樋３０とクーラーからの排水ホース３２が収容されて固定される。
【０００４】
そして、竪樋３０の上端はカバー体３１の上端開口部から露出し、軒樋３３の途中の集水器３４に接続された呼び樋３５の下端に接続されている。竪樋３０及び排水ホース３２の下端は、地面に埋設した集水桝３７に挿入され、集水桝３７から地中の排水管３８を通って排水されるようになっている。
【０００５】
この竪樋取付構造であれば、竪樋３０をカバー体３１で隠すことができるので外観の見栄えが優れる。
【特許文献１】特開２００２−１４６９８３号公報
【発明の開示】
【発明が解決しようとする課題】
【０００６】
ところが、外観を良くするために竪樋をカバーで覆って施工する場合でもカバーそのものが外装パネルから大きく突出するので外観を向上するが困難であるという問題があった。
【０００７】
そこで、本発明は、外装パネルからの竪樋全体の突出を抑えて建築物の外観を向上することで品質性を高める竪樋取付構造を提供することを目的とする。
【課題を解決するための手段】
【０００８】
請求項１の発明は、建築物の外壁本体に設けられる一対の外装パネルの端部と外壁本体から成る溝部に、底面と両側面から成る断面矩形凹状の長尺の収納部が両側面の先端部に前記一対の外装パネルの端部を覆うカバー材を備えて挿入されるとともに前記底面が外壁本体に固定され、前記収納部が竪樋を収納する領域であることを特徴としている。
【０００９】
請求項２の発明は、請求項１に記載の竪樋取付構造であって、前記竪樋の対向する側面に凹部を備え、前記収納部の両側面の先端部に前記竪樋の凹部を係止する凸部が設けられることを特徴としている。
【発明の効果】
【００１０】
請求項１の発明によれば、竪樋が底面と両側面から成る断面矩形凹状の長尺の収納部に収納されるので外装パネルからの竪樋全体の突出が抑えられるので建築物の外観を向上し品質性を高めることができる。また、カバー材によって一対の外装パネルの端部を覆って保護できるので外装パネルの品質性を高めることができる。
【００１１】
請求項２の発明によれば、前記竪樋がその対向する側面に備える凹部で、前記収納部の両側面の先端部に設けられる凸部に係止されるので、前記収納部の両側面と前記竪樋と間に隙間が生じないので、建築物の外観が一層向上して請求項１の発明の効果と同様の効果が得られる。
【発明を実施するための最良の形態】
【００１２】
以下に、本発明の第１の実施形態を図１に基づいて説明する。
【００１３】
＜竪樋取付構造の構成＞
図１に示すように、本発明の竪樋取付構造１は、建築物の外壁本体２に設けられる一対の外装パネル３の端部３ａと外壁本体２から成る溝部４が形成される。
【００１４】
そして、この溝部４に長尺のベース材７が挿入される。ベース材７は両側面５ａと底部５ｂとから成る断面矩形凹部の収納部５と、両側面５ａの先端部５ｃに底部５ｂと平行で外装パネル３の端部３ａを覆うカバー材６を備える。さらに、カバー材６の先端部６ａは底部５ｂ側に折返し部６ｃとして折返される。
【００１５】
ベース材７は底部５ｂを外壁本体２に図示しないビス等で固定され、収納部５が竪樋９を収納する領域となる。両側面５ａと竪樋９との隙間はできるだけ少なく形成される。
【００１６】
竪樋９は固定具１０を介してベース材７の底部５ｂを貫通し外壁本体２に固定される。固定具１０は竪樋９の周囲に密着する環状部１０ａとこの環状部１０ａに連設するネジ部１０ｂとから成る。
【００１７】
ここで、ベース材７は薄板鋼板による板金加工で連続的に一体形成される。より好ましくは、ベース材７のカバー材６の表面は薄板鋼板に外装パネル３の表面と同じ被覆材として塩ビ樹脂等の特殊高分子樹脂が被覆され、外装パネル３の表面と同じ表面パターン（表面凹凸や表面模様を含む）で形成される。
【００１８】
カバー材６と外装パネル３間には必要により図示しないシール材を用いて防水対策が講じられる。
【００１９】
なお、胴縁２ａと外装パネル３の間には外装パネル３の端部３ａを覆って挟持するための捨て板２５が取付けられるので、端部３ａはカバー材６と捨て板２５によって確実に保持される。
【００２０】
＜竪樋取付構造の作用＞  
上記のように、竪樋９が出来るだけ外装パネル３から突出しないように、竪樋９は両側面５ａと底部５ｂとから成るベース材７の断面矩形凹部の収納部５に納められるので建築物の外観が向上し品質性を高めることができる。
【００２１】
さらに、両側面５ａと竪樋９との隙間はできるだけ少なく形成される。このため、竪樋９を伝って外部者が建物内に侵入することを防止することができる。
【００２２】
また、両側面５ａの先端部５ｃに備えるカバー材６によって一対の外装パネル３（窯業サイディングや、金属サイディング、スピンドル等の鋼板成形品）の端部３ａを覆う機能が得られる。
【００２３】
また、カバー材６の先端部６ａが折返されて折返し部６ｃが形成されるので、雨水の浸入が防止できるので外装パネルが劣化し防音性や保温性が低下するということがなくなる。このように、カバー材６がサイディング端部処理の役目も果たすのでシーリングを省略してもその機能を保つことができる。
【００２４】
ベース材７は薄板鋼板による板金加工で連続的に一体形成されるので低コストで容易に製作することができる。
【００２５】
ベース材７のカバー材６の表面が外装パネル３の表面と同じ表面パターン（表面凹凸や表面模様を含む）で形成される場合には、カバー材６が外装パネル３と一体的な外観となるため、建築物の外観がさらに向上し品質性を高めることができる。
【００２６】
＜本発明の第２の実施形態＞
本発明の第２の実施形態を図２を用いて説明するが、図１に示す竪樋取付構造の構成と同構成部分については、図面に同符号を付して重複した説明を省略する。
【００２７】
図２に示すように、竪樋取付構造１ａは、収納部５の両側面５ａの先端部５ｃを折込んで、竪樋１１保持用の一対のリブ５ｄが底部５ｂと平行に収納部５の内部側に突出して設けられる。
【００２８】
竪樋１１は中空の略矩形断面形状で両側面１１ａに凹部１１ｂが形成される。
【００２９】
このため、竪樋１１を収納部５に挿入すると凹部１１ｂにリブ５ｄが嵌入して、竪樋１１が収納部５に保持される。
【００３０】
この竪樋取付構造１ａであれば竪樋１１を建築物の外壁本体２に固定するための固定具が省略できるとともに、固定具が外側から見えないので外観が向上する。
【００３１】
さらに、収納部５の両側面５ａと竪樋１１と間に隙間が生じないので、外観が一層向上し品質性を高めることができる。そして、竪樋１１を伝って外部者が建物内に侵入することを更に防止することができる。
【００３２】
以上、本発明の実施例を図面に基づいて説明したが、具体的な構成はこの実施例に限られるものではなく本発明の要旨を逸脱しない範囲の設計変更等があっても本発明に含まれる。
【００３３】
たとえば、本発明は新築だけでなく増改築の建築物にも用いることができる。
【００３４】
外装パネル３の種々の厚さにも対応できる。また、外装パネル３は上下、左右どちらの方向の場合であっても構わない。
【００３５】
竪樋が円筒断面形状で両側面に凹部１１ｂが形成され、凹部１１ｂにリブ５ｄが嵌入して収納部５に保持される構成でもよい。
【図面の簡単な説明】
【００３６】
【図１】本発明の第１の実施形態における、ベース材に竪樋が収納された状態の断面斜視図である。
【図２】本発明の第２の実施形態における、ベース材に竪樋が収納された状態の断面図である。
【図３】従来の、建築物の外壁本体に設けられる竪樋の取付状態の側面図である。
【符号の説明】
【００３７】
１  竪樋取付構造
２  外壁本体
３  外装パネル
３ａ  端部
５  収納部
５ａ  側面
５ｂ  底部
５ｃ  先端部
６ａ  先端部
６ｃ  折返し部
９  竪樋
１０  固定具
１０ａ  環状部
１０ｂ  ネジ部
【図１】
2008133604.tif 000003
【図２】
2008133604.tif 000004
【図３】
2008133604.tif 000005